(57)【要約】  【課題】 部品点数及び取付け工数を少なくし、動物に装着する場合の操作性を向上することができる動物用の胴輪、該胴輪を構成する摺動係止具、及び係止具を提供する。  【解決手段】  胴紐１の略中間部は、輪状部を有する連結具５の前記輪状部において折り返され、折り返された胴紐１同士は、連結具５の近傍で結着される。摺動係止部材２の貫通孔２１、２２、２２を挿通した胴紐１は、係止板３、４の第１の長孔３１、４１及び第２の長孔３２、４２に挿通し、係止板４、３の第２の長孔４２、３２に挿通して巻き返し、胴紐１の巻返し端部１２、１３は胴紐１であって長孔４２、３２の近傍に結着される。連結紐８の一端は、第１の係止板３の第２の長孔３２と、第２の係止板４の第２の長孔４２との間に係止された一方の胴紐１の略中間部において巻き返され、連結紐８の巻返し端部８１は、連結紐８であって胴紐１の近傍に結着して胴紐１に連結される。【選択図】      図１
0003105285.tif 000002
【実用新案登録請求の範囲】
【請求項１】
動物の胸部及び胴部に当接させるべき胴紐と、前記動物の胸部前足間に当接させ、両端夫々に前記胴紐を挿通する輪状部を有する連結紐と、前記胴紐が折り返されてなる折返し端部に連結され、前記胴紐を引き紐に連結する連結具とを備える動物用の胴輪において、
前記胴紐の摺動を係止する摺動係止部材は貫通孔を有し、前記折返し端部で折り返された胴紐を前記貫通孔に挿通してあり、
該貫通孔を挿通した前記胴紐は、該胴紐を係止する第１及び第２の係止板夫々に形成された第１及び第２の挿通孔に挿通し、前記第１および第２の係止板の前記挿通孔を挿通した胴紐の端部夫々は、前記第２及び第１の係止板夫々に係止されていることを特徴とする動物用の胴輪。
【請求項２】
前記胴紐が挿通された前記係止板は、該係止板の挿通孔であって前記胴紐の一端側の挿通孔に、該胴紐の他端が係止されてあることを特徴とする請求項１に記載された動物用の胴輪。
【請求項３】
動物の胴部に当接させるべき胴紐と、該胴紐に連結され動物の胸部及び胴部各々に当接させるべき２本の当接紐と、動物の胸部前足間に当接させ、両端夫々に前記当接紐を挿通する輪状部を有する連結紐と、前記胴紐が折り返されてなる折返し端部に連結され、前記胴紐を引き紐に連結する連結具とを備える動物用の胴輪において、
前記胴紐の摺動を係止する摺動係止部材は貫通孔を有し、前記折返し端部で折り返された胴紐を前記貫通孔に挿通してあり、
前記胴紐及び当接紐を係止する第１及び第２の係止板は、第１及び第２の挿通孔を有し、前記胴紐の端部夫々は前記第１及び第２の係止板夫々の第１の挿通孔に係止され、
前記２本の当接紐夫々の端部は、前記第１及び第２の係止板夫々の第２の挿通孔に係止されてあることを特徴とする動物用の胴輪。
【請求項４】
前記摺動係止部材の貫通孔は対向する１対の側面を有し、前記貫通孔の内側に、略円柱形であって歯部が周設され前記貫通孔の軸方向に摺動自在の歯部材を有し、前記歯部の周面と対向する前記１対の側面は、前記軸方向にテーパ状に形成されてあることを特徴とする請求項１乃至請求項３に記載された動物用の胴輪。
【請求項５】
前記係止板は、一端側に鍔縁が周設され、前記第１の挿通孔は前記鍔縁の厚さ方向に形成され、前記第２の挿通孔は板厚の方向に形成され、該第１の挿通孔の長さは前記第２の挿通孔の略半分の寸法であって、前記第１の挿通孔と第２の挿通孔との中間部に、該第２の挿通孔に沿って複数の突起部が形成されていることを特徴とする請求項１乃至請求項３に記載された動物用の胴輪。
【請求項６】
胴紐が挿通する貫通孔を有し、該貫通孔は対向する１対の側面を有し、前記貫通孔の内側に、略円柱形であって歯部が周設され前記貫通孔の軸方向に摺動自在の歯部材を有し、前記歯部の周面と対向する前記１対の側面は、前記軸方向にテーパ状に形成されてあることを特徴とする摺動係止具。
【請求項７】
板状であって２つの挿通孔を有し、一端側に鍔縁が周設され、第１の挿通孔は前記鍔縁の厚さ方向に形成され、第２の挿通孔は板厚の方向に形成され、該第１の挿通孔の長さは、前記第２の挿通孔の略半分の寸法であって、前記第１の挿通孔と第２の挿通孔との中間部に、該第２の挿通孔に沿って複数の突起部が形成されていることを特徴とする係止具。
【考案の詳細な説明】
【技術分野】
【０００１】
本考案は、犬、猿などの動物用の胴輪、該胴輪を構成する摺動係止具、及び係止具に関する。
【背景技術】
【０００２】
胴輪は、犬、猿などの動物の首部と胴部とにおいて装着され、引き紐を連結するための連結具が取り付けられており、犬、猿などの散歩などに用いられている。
【０００３】
従来の胴輪は、犬の胸部及び胴部に当接させる２つの胴部帯状体の端部夫々を２つの連結部材で連結し、該２つの連結部材夫々には、犬の背中側で前記胴部帯状体を固定するための２つの連結帯状体が取り付けられ、該連結帯状体夫々には、連結帯状体同士を連結するための２つの連結部材と、引き紐に取り付けるための２つの連結環とが取り付けられている。また、前記胴部帯状体の端側には、犬の大きさに合わせて前記胴部帯状体の長さを調節する２つの尾錠が取り付けられている。さらに、前記胴部帯状体の中間部は、該胴部帯状体の拡開を規制する幅規制帯状体を備えている（特許文献１参照）。
【特許文献１】特許第２５０６２８５号公報
【考案の開示】
【考案が解決しようとする課題】
【０００４】
しかしながら、特許文献１の胴輪は、２つの胴部帯状体の両端部を２つの連結部材に連結し、該２つの連結部材夫々には連結帯状体夫々が連結され、該２つの連結帯状体夫々には、連結環及び連結部材が取り付けられ、さらに前記胴部帯状体には尾錠が取付けられ、２つの胴部帯状体は幅規制帯状体が連結されており、部品点数が多く、胴輪を製作する場合には各部品を取り付けるための取付け工数が多い。このため、部品点数が少なく、部品の取付け工数の少ない胴輪が望まれていた。
【０００５】
また、前記胴輪を犬に装着する場合は、係止突部と受部とから構成される連結部材が分離した状態の係止突部と受部とをそれぞれ手で保持し、２つの胴部帯状体夫々を前記犬の胸部及び胴体下部に当接したあと該犬の背部において係止突部を受部に嵌入して両者を連結し、引き紐の連結具を、２つの連結帯状体各々に取り付けられた連結環に連結する。このため、両手で前記連結部材を保持する必要があり、また、犬が急激に動いた場合は、前記連結部材の係止突部と受部とを嵌入することが困難であり、犬への装着時の操作性を向上することが望まれていた。
【０００６】
本考案は、斯かる事情に鑑みてなされたものであり、胴紐と、該胴紐を係止する係止板と、該胴紐の摺動を係止する摺動係止部材と、該胴紐を連結する連結紐と、該胴紐と引き紐を連結する連結具とを備えることにより、従来の胴輪に比較して、部品点数を少なくして、部品の取付け工数を少なくできるとともに、従来の胴輪に比較して、犬、猿などの動物に装着する場合の操作性を向上し、装着後は胴輪を前記動物の大きさに合わせて容易に調整することができる動物用の胴輪、該胴輪を構成する摺動係止具、及び係止具を提供することを目的とする。
【０００７】
また、本考案の他の目的は、胴紐の一端を、係止板の挿通孔であって、前記胴紐の他端側の挿通孔に係止させることにより、２つの簡易な形状の係止板により胴紐を係止することができる動物用の胴輪、該胴輪を構成する摺動係止具、及び係止具を提供することにある。
【０００８】
また、本考案の他の目的は、胴紐の摺動を係止する摺動係止部材を備えることにより、従来の胴輪に比較して、犬、猿などの動物に装着する場合の操作性を向上するとともに、装着後は胴輪を前記動物の大きさに合わせて容易に調整することができる動物用の胴輪、該胴輪を構成する摺動係止具、及び係止具を提供することにある。
【０００９】
また、本考案の他の目的は、貫通孔を有し、該貫通孔の内側の内側に略円柱形の歯部材を備え、該歯部材を前記貫通孔の軸方向に摺動することにより、簡易な構造で容易に胴紐の摺動を係止することができる動物用の胴輪、該胴輪を構成する摺動係止具を提供することにある。
【００１０】
また、本考案の他の目的は、両端に２つの挿通孔を有し、該挿通孔の間に該挿通孔の長さ方向に沿って複数の突起部を形成することにより、簡易な形状で容易に胴紐を係止することができる動物用の胴輪、該胴輪を構成する係止具を提供することにある。
【課題を解決するための手段】
【００１１】
本考案に係る動物用の胴輪は、動物の胸部及び胴部に当接させるべき胴紐と、前記動物の胸部前足間に当接させ、両端夫々に前記胴紐を挿通する輪状部を有する連結紐と、前記胴紐が折り返されてなる折返し端部に連結され、前記胴紐を引き紐に連結する連結具とを備える動物用の胴輪において、前記胴紐の摺動を係止する摺動係止部材は貫通孔を有し、前記折返し端部で折り返された胴紐を前記貫通孔に挿通してあり、該貫通孔を挿通した前記胴紐は、該胴紐を係止する第１及び第２の係止板夫々に形成された第１及び第２の挿通孔に挿通し、前記第１および第２の係止板の前記挿通孔を挿通した胴紐の端部夫々は、前記第２及び第１の係止板夫々に係止されていることを特徴とする。
【００１２】
また、本考案に係る動物用の胴輪は、前記胴紐が挿通された前記係止板は、該係止板の挿通孔であって前記胴紐の一端側の挿通孔に、該胴紐の他端が係止されてあることを特徴とする。
【００１３】
また、本考案に係る動物用の胴輪は、動物の胴部に当接させるべき胴紐と、該胴紐に連結され動物の胸部及び胴部各々に当接させるべき２本の当接紐と、動物の胸部前足間に当接させ、両端夫々に前記当接紐を挿通する輪状部を有する連結紐と、前記胴紐が折り返されてなる折返し端部に連結され、前記胴紐を引き紐に連結する連結具とを備える動物用の胴輪において、前記胴紐の摺動を係止する摺動係止部材は貫通孔を有し、前記折返し端部で折り返された胴紐を前記貫通孔に挿通してあり、前記胴紐及び当接紐を係止する第１及び第２の係止板は、第１及び第２の挿通孔を有し、前記胴紐の端部夫々は前記第１及び第２の係止板夫々の第１の挿通孔に係止され、前記２本の当接紐夫々の端部は、前記第１及び第２の係止板夫々の第２の挿通孔に係止されてあることを特徴とする。
【００１４】
また、本考案に係る動物用の胴輪は、前記摺動係止部材の貫通孔は対向する１対の側面を有し、前記貫通孔の内側に、略円柱形であって歯部が周設され前記貫通孔の軸方向に摺動自在の歯部材を有し、前記歯部の周面と対向する前記１対の側面は、前記軸方向にテーパ状に形成されてあることを特徴とする。
【００１５】
また、本考案に係る動物用の胴輪は、前記係止板は、一端側に鍔縁が周設され、前記第１の挿通孔は前記鍔縁の厚さ方向に形成され、前記第２の挿通孔は板厚の方向に形成され、該第１の挿通孔の長さは前記第２の挿通孔の略半分の寸法であって、前記第１の挿通孔と第２の挿通孔との中間部に、該第２の挿通孔に沿って複数の突起部が形成されていることを特徴とする。
【００１６】
また、本考案に係る摺動係止具は、胴紐が挿通する貫通孔を有し、該貫通孔は対向する１対の側面を有し、前記貫通孔の内側に、略円柱形であって歯部が周設され前記貫通孔の軸方向に摺動自在の歯部材を有し、前記歯部の周面と対向する前記１対の側面は、前記軸方向にテーパ状に形成されてあることを特徴とする。
【００１７】
また、本考案に係る係止具は、板状であって２つの挿通孔を有し、一端側に鍔縁が周設され、第１の挿通孔は前記鍔縁の厚さ方向に形成され、第２の挿通孔は板厚の方向に形成され、該第１の挿通孔の長さは、前記第２の挿通孔の略半分の寸法であって、前記第１の挿通孔と第２の挿通孔との中間部に、該第２の挿通孔に沿って複数の突起部が形成されていることを特徴とする。
【００１８】
第１の考案にあっては、貫通孔を有する前記摺動係止部材は、折返し端部で折り返された胴紐を前記貫通孔に挿通してあり、さらに、前記貫通孔を挿通した前記胴紐の端部夫々は、第１及び第２の係止板夫々に形成された第１及び第２の挿通孔に挿通して前記第２及び第１の係止板に係止されてあり、前記連結紐は、前記第１及び第２の係止板に係止された胴紐夫々を前記輪状部夫々に挿通して前記胴紐と連結されていることにより、１本の胴紐及び連結紐で胴輪を構成することができ、従来の胴輪に比較して、部品点数を少なくし、部品を取り付けるための取付け工程を少なくすることができる。
胴輪を犬に装着する際は、摺動係止部材を貫通した胴紐を摺動して該摺動係止部材を連結具側に移動させて、胴紐、係止板及び摺動係止部材により形成される輪状部を大きくする。該輪状部を犬の首部に通し、連結紐と胴紐とにより形成される２つの輪状部各々に犬の各前足を通して、前記胴紐を犬の胸部及び胴体に当接させることにより、胴輪を犬に装着することができる。犬に胴輪を装着した後は、前記摺動係止部材を犬の背部に当接するまで胴紐に沿って摺動させて係止することにより、犬の大きさに合わせて胴輪を調節することが可能である。
また、犬の胸部及び胴体下部に当接される胴紐を、連結紐の両端の輪状部夫々に挿通してあるため、前記胴紐は該連結紐により制動され、前記胴紐を犬の胸部と胴体下部に合わせて装着することができる。
【００１９】
第２の考案にあっては、前記胴紐が挿通された前記係止板は、該係止板の挿通孔であって前記胴紐の一端側の挿通孔に、該胴紐の他端が係止されていることにより、２つの簡易な形状の係止板により胴紐を係止することができる。
【００２０】
第３の考案にあっては、貫通孔を有する前記摺動係止部材は、前記折返し端部で折り返された胴紐を前記貫通孔に挿通してあり、さらに、前記貫通孔を挿通した前記胴紐の端部夫々は、第１及び第２の挿通孔が形成された第１及び第２の係止板の第１の挿通孔に係止され、前記２本の当接紐夫々は、中間部に尾錠を有し、該当接紐の両端夫々は、前記第１及び第２の係止板の第２の挿通孔に係止され、前記連結紐は、前記第１及び第２の係止板に係止された２本の当接紐夫々を前記輪状部夫々に挿通して前記胴紐と連結していることにより、前記摺動係止部材を胴紐に沿って摺動させて、胴紐、係止板、当接紐及び摺動係止板により形成される胴輪の輪状部の大きさを調節できるため、犬に装着する際は、予め大きめの輪状部を形成しておき、犬に胴輪を装着したあとは、犬の大きさに合わせて、前記輪状部を小さくすることにより、犬の大きさに調節することができる。
また、犬の胸部及び胴体下部に当接される２本の当接紐を、連結紐の両端の輪状部夫々に挿通してあるため、前記２本の当接紐は該連結紐により制動され、前記当接紐を犬の胸部と胴体下部に合わせて装着することができる。
【００２１】
第４の考案及び第６の考案にあっては、摺動係止部材又は摺動係止具を挿通する胴紐夫々は、該摺動係止部材又は摺動係止具の前記貫通孔の１対の側面と歯部材との間を摺動し、前記１対の側面は、前記貫通孔の孔軸方向にテーパ状に形成されているため、前記歯部材を前記１対の側面の対向寸法が大きい側に摺動することにより、前記胴紐は、前記摺動係止部材又は摺動係止具の前記１対の側面と前記歯部材との間で自在に摺動することができ、一方、前記歯部材を前記１対の側面の対向寸法が小さい側に摺動することにより、前記胴紐は、前記摺動係止部材又は摺動係止具の前記１対の側面と前記歯部材との間で係止することができる。
また、前記摺動係止部材又は摺動係止具の前記１対の側面の対向寸法が小さい側に胴紐が引っ張られた場合は、該胴紐夫々は前記歯部材を挟み込むことにより、該胴紐と一体に前記歯部材が前記孔軸方向に摺動し、前記胴紐は、前記摺動係止部材又は摺動係止具の前記１対の側面と前記歯部材との間で係止することができる。
【００２２】
第５の考案及び第７の考案にあっては、第１の挿通孔と略同寸法の胴紐を前記第１の挿通孔に挿通し、第２の挿通孔には、前記胴紐を２つ並べて挿通することができ、係止板又は貫通係止具に胴紐を挿通することにより、３条の胴紐を係止することができる。また、前記第１の挿通孔は、係止板又は係止具の他端側に周設された鍔縁の厚さ方向に形成され、前記第１の挿通孔と第２の挿通孔との中間部に、前記第２の挿通孔に沿って複数の突起部が形成されているため、前記胴紐は係止板又は係止具に密着させて係止することができる。
【考案の効果】
【００２３】
本考案にあっては、胴輪は、１の胴紐と、１の連結紐と、１の摺動係止部材と、２つの係止板と、１の連結具とを備え、６点の部品により胴輪を構成することができるため、従来の胴輪を構成する部品点数が１３点であったのに比較して、部品点数を少なくして取付け工数を少なくすることができる。また、連結紐を１対の胴紐に連結することにより、前記胴紐同士が拡張することを防止することができ、動物の大きさに合わせて胴輪を装着することができる。
【００２４】
本考案にあっては、摺動係止部材を胴紐に沿って摺動することにより、装着の際は、犬の大きさより大きめの胴輪の輪状部を形成しておき、装着後は該輪状部を犬の大きさに調整することができるとともに、所要の大きさに調整した箇所で前記摺動係止部材を固定することができる。また、胴輪を装着した犬が胴輪の胴紐を引っ張った場合にも、前記摺動係止部材により前記胴紐を係止することができる。
【考案を実施するための最良の形態】
【００２５】
実施の形態１
図１は本考案に係る動物用の胴輪の斜視図である。図において、１は犬の体長の略２倍の寸法を有し、ポリエステル製の帯状の胴紐である。胴紐１の略中間部は、輪状部を有する連結具５の前記輪状部において折り返され、折り返された胴紐１同士は、連結具５の近傍で結着され、胴紐１に沿って連結具５が自由に移動することを防止している。
【００２６】
輪状部を有する連結具６は連結具５と回動自在に連結され、連結具６の前記輪状部は、引き紐７が挿通連結されている。
【００２７】
摺動係止部材２は、ポリカーボネート製の中空の略直方体であって、長手方向の端面夫々の形状は胴紐１の幅と略同寸法の正方形である。一方の前記端面は、胴紐１の幅と略同寸法の正方形状であって、胴紐１を挿通させる貫通孔２１を有し、他方の前記端面は、胴紐１の幅及び厚さと略同寸法の略長方形の貫通孔２２、２２を有する。
【００２８】
胴紐１が係止される係止板３、４は、ポリカーボネート製の台形状であって、上底は胴紐１の幅と略同寸法を有し、下底は胴紐１の幅の略２倍の寸法を有し、前記上底側に第１の長孔が前記上底に沿って形成され、前記下底側に第２の長孔が前記下底に沿って形成されてある。
【００２９】
摺動係止部材２の貫通孔２１、２２、２２を挿通した胴紐１の一端は、第１の係止板３の第１の長孔３１及び第２の長孔３２に挿通し、第２の係止板４の第２の長孔４２に挿通して巻き返してあり、胴紐１の巻返し端部１２は胴紐１であって長孔４２の近傍に結着されている。
【００３０】
摺動係止部材２の貫通孔２１、２２、２２を挿通した胴紐１の他端は、第２の係止板４の第１の長孔４１及び第２の長孔４２に挿通し、第１の係止板３の第２の長孔３２に挿通して巻き返してあり、胴紐１の巻返し端部１３は胴紐１であって長孔３２の近傍に結着されている。これにより、摺動係止部材２の貫通孔２１、２２、２２を挿通した胴紐１が、係止板３、４を挿通して係止されるため、胴紐１、係止板３、４及び摺動係止部材２により胴輪の輪状部１２が形成される。
【００３１】
係止板３、４に係止された胴紐１夫々に連結される連結紐８は、犬の胸部及び胴体下部の間隔と略同寸法であって、胴紐１と同じ材質及び幅を有する。連結紐８の一端は、第１の係止板３の第２の長孔３２と、第２の係止板４の第２の長孔４２との間に係止された一方の胴紐１の略中間部において巻き返されてあり、連結紐８の巻返し端部８１は、連結紐８であって胴紐１の近傍に結着して胴紐１に連結されている。連結紐８の他端も同様に、第１の係止板３の第２の長孔３２と第２の係止板４の第２の長孔４２との間に係止された他方の胴紐１の略中間部において巻き返されてあり、連結紐８の巻返し端部８１は、連結紐８であって胴紐１の近傍に結着してある。これにより、連結紐８は、胴紐１に対して移動自在に連結され、胴紐１は、連結紐８により制動される。
【００３２】
連結紐８が胴紐１に連結されることにより、連結紐８、胴紐１、及び係止板３、４により犬の前足を通すための輪状部８２、８３が形成され、係止板３、４の間で係止された胴紐１は、犬の胸部及び胴部に当接されるように形成される。
【００３３】
図２は摺動係止部材２の斜視図である。図３は摺動係止部材２の横断面図である。摺動係止部材２は、中空で略直方体状の本体部２０と、略円柱形で歯部が周設された歯部材２３と、固定用ピン２４とを備えている。本体部２０の両側面の外側及び内側夫々の対向寸法は、長手方向にテーパ状に形成されている。
【００３４】
本体部２０の上面は、本体部２０の内部に収納され、長手方向に摺動する歯部材２３を摺動するための摺動孔２５が形成されている。
【００３５】
歯部材２３は、略円柱形で外周に歯部２３２が周設されている。歯部材２３の中央部には、固定用ピン２４を嵌挿する嵌挿孔２３１が形成されている。
【００３６】
固定用ピン２４は、嵌挿孔２３１の径より小さい寸法の軸体２４１の上端側に摺動孔２５の幅より大きい寸法の略円柱形の摘み部２４２が形成され、下端側に略円錐形であって、嵌挿孔２３１の径と略同寸法の径を有する支持部２４３が形成されている。支持部２４３の先端部は、軸体２４１と直交する方向に適幅の切りかき部２４４が形成されている。
【００３７】
歯部材２３を貫通孔２１から本体部２０の内側に挿入し、固定用ピン２４を摺動孔２５に挿入して歯部材２３の軸孔２３１に嵌挿すると、支持部２４３は軸孔２３１により押圧され、切りかき部２４４が縮幅して支持部２４３が縮径する。支持部２４３を軸孔２３１に貫通させると、支持部２４３が元の形状に復帰して歯部材２３が固定される。これにより、歯部材２３を本体部２０の内側で摺動孔２５に沿って摺動自在に固定される。
【００３８】
図３に示すように、摺動係止部材２の貫通孔２１、２２、２２に挿通された胴紐１は、歯部材２３と摺動係止部材２の内側の１対の側面２６、２６との間に摺動自在に設けられている。摘み部２４２を、貫通孔２１側に移動した場合は、歯部材２３は貫通孔２１側へ摺動し、歯部材２３の歯部表面２３２と摺動係止部材２の側面２６、２６との寸法が大きくなり、胴紐１は摺動自在となる。
【００３９】
一方、摘み部２４２を、貫通孔２２側に移動した場合は、歯部材２３は貫通孔２２側へ摺動し、歯部材２３の歯部表面２３２と摺動係止部材２の側面２６、２６との寸法が小さくなり、胴紐１は歯部材２３と摺動係止部材２の側面２６、２６とに挟まれて、胴紐１の摺動は係止される。
【００４０】
また、胴紐１が、貫通孔２２、２２側へ引っ張られた場合は、胴紐１は歯部材２３を挟み込むため、胴紐１と歯部材２３が当接し、胴紐１の移動に伴って、歯部材２３も貫通孔２２、２２側へ移動する。これにより、胴紐１は、歯部材２３の歯部２３２と摺動係止部材２の側面２６、２６との間で挟みこまれ、胴紐１の摺動は係止される。
【００４１】
図４は第１の係止板３の斜視図である。第１の係止板３は、上底側には、鍔縁３３が周設され、鍔縁３３の厚さ方向に胴紐１の幅及び厚さ夫々と略同寸法の長さ及び幅を有する第１の長孔３１が形成されている。下底側は、板厚の方向に第１の長孔の長さの略２倍の長さを有する第２の長孔３２が形成されている。第１の長孔３１と第２の長孔３２との間には、第２の長孔に沿って、複数の突起部３４、３４…が形成されている。
【００４２】
胴紐１を第１の長孔３１及び第２の長孔３２に挿通するとともに、胴紐１の端部を第２の長孔３２に挿通した胴紐１に隣接して第２の長孔３２に挿通して巻き返し、巻返し端部１３を胴紐１の第２の長孔３２の近傍に結着することにより、第１の係止板３は、帯状の胴紐１を３つに分岐して係止することができる。なお、第２の係止板４も同様の構成を有する。
【００４３】
第１の長孔３１と第２の長孔３２との間に形成された複数の突起部３４、３４…は、第１の長孔３１と第２の長孔３２とを挿通する胴紐１のすべりを防止して、胴紐１を係止することができる。なお、第２の係止板４も同様の構成を有する。
【００４４】
次に、動物用の胴輪の使用方法について説明する。図５は使用状態を示す説明図である。胴輪を犬に装着する前に、予め、係止板３、４の第１及び第２の長孔３１、３２、４１、４２を挿通する胴紐１を長孔３１、３２、４１、４２に沿って摺動させることにより、第１の係止板３と第２の係止板４との間の部分における胴紐１の長さを犬の胸部及び胴部の大きさに合わせて調節しておくことが可能である。
胴輪を犬に装着する場合は、摘み部２４２を貫通孔２１側に移動して、摺動係止部材２を連結具５側へ移動させ、胴紐１、係止板３、４及び摺動係止部材２で形成される胴輪の輪状部１８を犬の首部より大きくする。
【００４５】
犬の首部に輪状部１８を通し、犬の前足夫々を、胴紐１と連結紐８とにより形成される輪状部８２、８３に通す。これにより、胴紐１は、犬の胸部と胴体下部とに当接される。摘み部２４２を貫通孔２２側に移動して、摺動係止部材２を胴紐１に沿って連結具５と反対側へ移動し、犬の背部近傍まで摺動して輪状部１２を小さくすることにより、犬の大きさに合わせて輪状部１８の大きさを調整して、胴輪を装着することができる。なお、摺動係止部材２を片手で保持し、親指で摘み部２４２を押えることにより、片手で容易に胴紐１を摺動することができる。
【００４６】
また、連結紐８を備えることにより、犬が動き回った場合においても、胸部及び胴部各々に当接された胴紐１が連結紐８により制動され、犬の胴部に装着された胴紐１がずれることを防止できる。
【００４７】
このように胴輪が犬に装着されて、犬の散歩をする場合において、仮に犬が急に動いて胴輪を引っ張ったときでも、摺動係止部材２を挿通した胴紐１は、摺動係止部材２の内側において、歯部材２３を挟み込み、胴紐１の摺動とともに歯部材２３を貫通孔２２側へ移動させ、歯部材２３が胴紐１を係止させるため、胴紐１は、摺動係止部２により係止され、輪状部１２が調整された大きさに維持されることになる。
【００４８】
また、係止板３、４の上底側に鍔縁３３が周設され、鍔縁３３の厚さ方向に第１の長孔３１、４１が形成されているため、係止板３、４により係止された胴紐１は、係止板３、４と面一に密接することができ、犬に体に合わせて装着することができる。
【００４９】
胴紐１、連結紐８はポリカーボネートなどの合成繊維製であり、用途や使用する犬の大きさに合わせて、種々の模様を付することが可能である。また、摺動係止部材２、係止板３、４は、合成樹脂性であり、胴紐１の模様又は色彩に合わせて半透明の色彩などを付することにより、人目を引く又は流行に合った胴輪にすることも可能である。
【００５０】
なお、摺動係止部材２に胴紐１を挿通させて、犬などの首輪に使用することも可能である。この場合は、摺動係止部材２により首輪の輪状部の大きさを調整することができる。
【００５１】
実施の形態２
図６は本考案に係る動物用の胴輪の斜視図である。胴紐１の略中間部は、輪状部を有する連結具５の前記輪状部において折り返され、折り返された胴紐１同士は、連結具５の近傍で結着され、胴紐１に沿って連結具５が自由に移動することを防止している。
【００５２】
胴紐１は、摺動係止部材２の貫通孔２１、２２を挿通し、胴紐１の両端夫々は、第１の係止板３及び第２の係止板４に形成された第１の長孔３１、４１に挿通して巻き返してある。胴紐１の巻返し端部１４、１４は胴紐１であって第１の長孔３１、４１の近傍と結着してある。
【００５３】
犬の体長より短い寸法であって、胴紐１と同じ材質及び幅を有する当接紐１５、１５の一端夫々は、第１の係止板３に形成された第２の長孔３２に挿通して巻き返してあり、巻返し端部１６、１６は当接紐１５、１５であって第２の長孔３２の近傍に結着してある。
【００５４】
当接紐１５、１５の他端夫々は、尾錠９、９に貫通し、第２の係止板４に形成された第２の長孔４２に挿通し、さらに尾錠９、９に貫通して巻き返してある。巻返し端部１７、１７は当接紐１５、１５であって尾錠９の近傍に結着してある。
【００５５】
また、当接紐１５、１５夫々には、略角形状の固定環１０、１０が第２の係止板４の近傍において装着されてある。
【００５６】
連結紐８は、一端を、一方の当接紐１５に巻き返してあり、連結紐８の巻返し端部８１は連結紐８であって当接紐１５の近傍に結着してある。連結紐８の他端も同様に、他方の当接紐１５に巻き返してあり、連結紐８の巻返し端部８１は連結紐８であって当接紐１５の近傍に結着してある。これにより、連結紐８は、当接紐１５に対して移動自在に連結され、当接紐１５は、連結紐８により制動される。
【００５７】
摺動係止部材２、係止板３、４は実施の形態１と同様であるので、説明は省略する。また、犬への使用方法についても、実施の形態１と同様であるので、説明を省略する。
【図面の簡単な説明】
【００５８】
【図１】本考案に係る動物用の胴輪の斜視図である。
【図２】摺動係止部材の斜視図である。
【図３】摺動係止部材の横断面図である。
【図４】第１の係止板の斜視図である。
【図５】使用状態を示す説明図である。
【図６】本考案に係る動物用の胴輪の斜視図である。
【符号の説明】
【００５９】
１  胴紐
２  摺動係止部材、摺動係止具
３  第１の係止板、係止具
４  第２の係止板、係止具
８  連結紐
１５  当接紐
２０  本体部  
２１  貫通孔
２２  貫通孔
２３  歯部材
２４  固定用ピン
２６  側面
３１  第１の長孔
３２  第２の長孔
３３  鍔縁
３４  突起部
４１  第１の長孔
４２  第２の長孔
２３２  歯部
【図１】
0003105285.tif 000003
【図２】
0003105285.tif 000004
【図３】
0003105285.tif 000005
【図４】
0003105285.tif 000006
【図５】
0003105285.tif 000007
【図６】
0003105285.tif 000008